(57)【要約】【課題】画像の投影対象となるスクリーンの色の影響を考慮し、常に不自然さのない色合いの投影画像及び手書きによる書込み情報を撮影して、後にそれらを再現する。【解決手段】入力される画像信号に応じた投影を行なうＳＯＭ27、投影レンズ12を含む投影系と、投影範囲を撮影する撮影レンズ13、ＣＣＤ39を含む撮影系と、投影系により全面白色の画像を投影させた状態で撮影系により投影範囲を撮影させ、得た画像情報から画像信号との第１の色補正値を算出し、第１の色補正値に従って投影する画像の色補正を施し、キースイッチ部15で投影画像の記録が指示されると、投影系により全面白色の画像を投影させた状態で撮影系により投影範囲を撮影させ、得た画像情報に第１の色補正値の情報を付加し、はじめに投影した画像に対応付けて画像記録部37に記録させる制御部35とを備える。【選択図】      図２
2006174053.tif 000002
【特許請求の範囲】
【請求項１】
入力される画像信号に応じた投影を行なう投影手段と、
この投影手段の投影範囲を撮影する撮影手段と、
上記投影手段により所定の画像を投影させた状態で上記撮影手段により投影範囲を撮影させ、得た画像情報から上記画像信号との第１の色補正値を算出する算出手段と、
この算出手段で得た第１の色補正値に従って上記投影手段が投影する画像の色補正を施す第１の投影制御手段と、
この第１の投影制御手段で色補正を施した画像の投影時に記録を指示する指示手段と、
この指示手段に応じて上記投影手段により所定の画像を投影させた状態で上記撮影手段により投影範囲を撮影させ、得た画像情報に上記第１の色補正値の情報を付加し、上記投影手段で投影した画像に対応付けて記録させる記録手段と、
入力される画像信号に応じた上記投影手段による再生投影動作時に上記記録手段により対応付けて記録させた画像の有無を判断する判断手段と、
この判断手段により対応付けて記録させた画像があると判断した場合に、上記当該対応付けて記録させた画像に対して付加されている第１の色補正値の情報により色補正を施し、上記投影手段で投影している画像に重ね合わせて投影させる第２の投影制御手段と
を具備したことを特徴とする投影装置。
【請求項２】
上記所定の画像は全面白色の画像であることを特徴とする請求項１記載の投影装置。
【請求項３】
上記算出手段は、上記再生投影動作時に上記投影手段により所定の画像を投影させた状態で上記撮影手段により投影範囲を撮影させ、得た画像情報から上記画像信号との第２の色補正値を算出し、
上記第２の投影制御手段は、この算出手段で算出した第２の色補正値により上記重ね合わせて投影される画像の色補正を施す
ことを特徴とする請求項１記載の投影装置。
【請求項４】
上記算出手段は、上記撮影手段で撮影した投影範囲と上記画像信号とにより背景色となる白色の色補正値をホワイトバランス処理を用いて算出することを特徴とする請求項１記載の投影装置。
【請求項５】
上記算出手段は、上記撮影手段で撮影した投影範囲と上記画像信号とにより予め用意された複数の色の少なくとも１つに変換する変換値を色補正値として算出することを特徴とする請求項１記載の投影装置。
【請求項６】
上記第１及び第２の投影制御手段の少なくとも一方は、上記算出手段が算出した色補正値の内容により、投影する画像に対する色補正の実施を解除することを特徴とする請求項１記載の投影装置。
【請求項７】
入力される画像信号に応じた投影を行なう投影部と、この投影部の投影範囲を撮影する撮影部とを備えた投影装置での投影制御方法であって、
上記投影部により所定の画像を投影させた状態で上記撮影部により投影範囲を撮影させ、得た画像情報から上記画像信号との第１の色補正値を算出する算出工程と、
この算出工程で得た第１の色補正値に従って上記投影部が投影する画像の色補正を施す第１の投影制御工程と、
この第１の投影制御工程で色補正を施した画像の投影時に記録を指示する指示工程と、
この指示工程での指示に応じて上記投影部により所定の画像を投影させた状態で上記撮影部により投影範囲を撮影させ、得た画像情報に上記第１の色補正値の情報を付加し、上記投影部で投影した画像に対応付けて記録させる記録工程と、
入力される画像信号に応じた上記投影部による再生投影動作時に上記記録工程により対応付けて記録させた画像の有無を判断する判断工程と、
この判断工程により対応付けて記録させた画像があると判断した場合に、上記当該対応付けて記録させた画像に対して付加されている第１の色補正値の情報により色補正を施し、上記投影部で投影している画像に重ね合わせて投影させる第２の投影制御工程と
を有したことを特徴とする投影制御方法。
【請求項８】
入力される画像信号に応じた投影を行なう投影部と、この投影部の投影範囲を撮影する撮影部とを備えた投影装置が内蔵するコンピュータが実行するプログラムであって、
上記投影部により所定の画像を投影させた状態で上記撮影部により投影範囲を撮影させ、得た画像情報から上記画像信号との第１の色補正値を算出する算出ステップと、
この算出ステップで得た第１の色補正値に従って上記投影部が投影する画像の色補正を施す第１の投影制御ステップと、
この第１の投影制御ステップで色補正を施した画像の投影時に記録を指示する指示ステップと、
この指示ステップでの指示に応じて上記投影部により所定の画像を投影させた状態で上記撮影部により投影範囲を撮影させ、得た画像情報に上記第１の色補正値の情報を付加し、上記投影部で投影した画像に対応付けて記録させる記録ステップと、
入力される画像信号に応じた上記投影部による再生投影動作時に上記記録ステップにより対応付けて記録させた画像の有無を判断する判断ステップと、
この判断ステップにより対応付けて記録させた画像があると判断した場合に、上記当該対応付けて記録させた画像に対して付加されている第１の色補正値の情報により色補正を施し、上記投影部で投影している画像に重ね合わせて投影させる第２の投影制御ステップと
をコンピュータに実行させることを特徴とするプログラム。
【発明の詳細な説明】
【技術分野】
【０００１】
本発明は、投影内容を撮影することが可能な撮影機能を有する投影装置、投影制御方法及びプログラムに関する。
【背景技術】
【０００２】
従来、プロジェクタ装置にデジタルカメラを設け、ドキュメントの投影中に、ユーザの撮影操作に応じてドキュメント投影状態のスクリーンを撮影して文書画像を撮影した後、ドキュメントの投影を停止した一重状態のスクリーンを撮影し、スクリーン上に直接記述された手書き情報だけが映った手書き情報画像を取得し、双方の画像を所定の方法で互いに対応付けてメモリカードのような媒体に記録し、メモリカードをパソコン等に装着することで、パソコン上で手書き情報画像を利用可能とすると共に、その際には対応する文書画像を確認することにより、手書き情報画像に映っている手書き情報がどのドキュメント（またはドキュメントページ）に対応するのかを知ることができるようにした技術があった。（例えば、特許文献１）
【特許文献１】特開２００４−１９９２９９号公報
【発明の開示】
【発明が解決しようとする課題】
【０００３】
しかしながら、上記特許文献１に記載された技術では、投影するドキュメント中で指定されている背景色と、実際にその画像を投影する、例えばホワイトボード等のスクリーンの色とが異なることにより、投影表示される画像が不自然な色合いとなってしまう可能性は否めない。
【０００４】
したがって、そのような不自然な色合いで投影されている画像に適宜手書きの情報を付加して画像を撮影したとしても、後にその再生時に得られる画像は、パソコン上であれ投影画像であれ、当然ながら元の不自然な色合いの状態を維持するものとなる。
【０００５】
本発明は上記のような実情に鑑みてなされたもので、その目的とするところは、画像の投影対象となるスクリーンの色の影響を考慮し、常に不自然さのない色合いの投影画像及び手書きによる書込み情報を撮影して、後にそれらを再現することが可能な投影装置、投影制御方法及びプログラムを提供することにある。
【課題を解決するための手段】
【０００６】
請求項１記載の発明は、入力される画像信号に応じた投影を行なう投影手段と、この投影手段の投影範囲を撮影する撮影手段と、上記投影手段により所定の画像を投影させた状態で上記撮影手段により投影範囲を撮影させ、得た画像情報から上記画像信号との第１の色補正値を算出する算出手段と、この算出手段で得た第１の色補正値に従って上記投影手段が投影する画像の色補正を施す第１の投影制御手段と、この第１の投影制御手段で色補正を施した画像の投影時に記録を指示する指示手段と、この指示手段に応じて上記投影手段により所定の画像を投影させた状態で上記撮影手段により投影範囲を撮影させ、得た画像情報に上記第１の色補正値の情報を付加し、上記投影手段で投影した画像に対応付けて記録させる記録手段と、入力される画像信号に応じた上記投影手段による再生投影動作時に上記記録手段により対応付けて記録させた画像の有無を判断する判断手段と、この判断手段により対応付けて記録させた画像があると判断した場合に、上記当該対応付けて記録させた画像に対して付加されている第１の色補正値の情報により色補正を施し、上記投影手段で投影している画像に重ね合わせて投影させる第２の投影制御手段とを具備したことを特徴とする。
【０００７】
請求項２記載の発明は、上記請求項１記載の発明において、上記所定の画像は全面白色の画像であることを特徴とする。
【０００８】
請求項３記載の発明は、上記請求項１記載の発明において、上記算出手段は、上記再生投影動作時に上記投影手段により所定の画像を投影させた状態で上記撮影手段により投影範囲を撮影させ、得た画像情報から上記画像信号との第２の色補正値を算出し、上記第２の投影制御手段は、この算出手段で算出した第２の色補正値により上記重ね合わせて投影される画像の色補正を施すことを特徴とする。
【０００９】
請求項４記載の発明は、上記請求項１記載の発明において、上記算出手段は、上記撮影手段で撮影した投影範囲と上記画像信号とにより背景色となる白色の色補正値を算出することを特徴とする。
【００１０】
請求項５記載の発明は、上記請求項１記載の発明において、上記算出手段は、上記撮影手段で撮影した投影範囲と上記画像信号とにより予め用意された複数の色の少なくとも１つに変換する変換値を色補正値として算出することを特徴とする。
【００１１】
請求項６記載の発明は、上記請求項１記載の発明において、上記第１及び第２の投影制御手段の少なくとも一方は、上記算出手段が算出した色補正値の内容により、投影する画像に対する色補正の実施を解除することを特徴とする。
【００１２】
請求項７記載の発明は、入力される画像信号に応じた投影を行なう投影部と、この投影部の投影範囲を撮影する撮影部とを備えた投影装置での投影制御方法であって、上記投影部により所定の画像を投影させた状態で上記撮影部により投影範囲を撮影させ、得た画像情報から上記画像信号との第１の色補正値を算出する算出工程と、この算出工程で得た第１の色補正値に従って上記投影部が投影する画像の色補正を施す第１の投影制御工程と、この第１の投影制御工程で色補正を施した画像の投影時に記録を指示する指示工程と、この指示工程での指示に応じて上記投影部により所定の画像を投影させた状態で上記撮影部により投影範囲を撮影させ、得た画像情報に上記第１の色補正値の情報を付加し、上記投影部で投影した画像に対応付けて記録させる記録工程と、入力される画像信号に応じた上記投影部による再生投影動作時に上記記録工程により対応付けて記録させた画像の有無を判断する判断工程と、この判断工程により対応付けて記録させた画像があると判断した場合に、上記当該対応付けて記録させた画像に対して付加されている第１の色補正値の情報により色補正を施し、上記投影部で投影している画像に重ね合わせて投影させる第２の投影制御工程とを有したことを特徴とする。
【００１３】
請求項８記載の発明は、入力される画像信号に応じた投影を行なう投影部と、この投影部の投影範囲を撮影する撮影部とを備えた投影装置が内蔵するコンピュータが実行するプログラムであって、上記投影部により所定の画像を投影させた状態で上記撮影部により投影範囲を撮影させ、得た画像情報から上記画像信号との第１の色補正値を算出する算出ステップと、この算出ステップで得た第１の色補正値に従って上記投影部が投影する画像の色補正を施す第１の投影制御ステップと、この第１の投影制御ステップで色補正を施した画像の投影時に記録を指示する指示ステップと、この指示ステップでの指示に応じて上記投影部により所定の画像を投影させた状態で上記撮影部により投影範囲を撮影させ、得た画像情報に上記第１の色補正値の情報を付加し、上記投影部で投影した画像に対応付けて記録させる記録ステップと、入力される画像信号に応じた上記投影部による再生投影動作時に上記記録ステップにより対応付けて記録させた画像の有無を判断する判断ステップと、この判断ステップにより対応付けて記録させた画像があると判断した場合に、上記当該対応付けて記録させた画像に対して付加されている第１の色補正値の情報により色補正を施し、上記投影部で投影している画像に重ね合わせて投影させる第２の投影制御ステップとをコンピュータに実行させることを特徴とする。
【発明の効果】
【００１４】
請求項１記載の発明によれば、画像の投影対象となるスクリーンの色の影響を考慮し、不自然さのない色合いの画像を投影することができる。
【００１５】
請求項２記載の発明によれば、上記請求項１記載の発明の効果に加えて、各原色成分がフル階調となる全面白色の画像を投影することで、よりホワイトバランス等の調整を容易にすることができる。
【００１６】
請求項３記載の発明によれば、上記請求項１記載の発明の効果に加えて、投影された画像に加えて、手書きによる書込み情報を撮影して、後にそれらを同様に不自然さのない色合いで再現することが可能となる。
【００１７】
請求項４記載の発明によれば、上記請求項１記載の発明の効果に加えて、画像の背景色と投影対象のスクリーンが共に一般的な白色であるような場合に、すべてのデジタルカメラ等が標準で搭載しているホワイトバランス調整機能を用いることで、回路の構成を複雑にすることなく、より自然な色合いの投影画像を得ることができる。
【００１８】
請求項５記載の発明によれば、上記請求項１記載の発明の効果に加えて、投影系でカラーパレットのように同時に発色できる色の数に制限がある場合に、その範囲内でより適した色を選択することで色補正を実行し、処理を簡易化することができる。
【００１９】
請求項６記載の発明によれば、上記請求項１記載の発明の効果に加えて、色補正を行なうことで却って不自然な色合いとなってしまう場合にこれを判断し、あえて色補正を行なわないようにすることで、投影画像が見苦しい色合いとなってしまうのを未然に回避できる。
【００２０】
請求項７記載の発明によれば、画像の投影対象となるスクリーンの色の影響を考慮し、不自然さのない色合いの画像を投影することができる。
【００２１】
請求項８記載の発明によれば、画像の投影対象となるスクリーンの色の影響を考慮し、不自然さのない色合いの画像を投影することができる。
【発明を実施するための最良の形態】
【００２２】
（第１の実施の形態）  
以下本発明をプロジェクタ装置に適用した場合の第１の実施の形態について図面を参照して説明する。
【００２３】
図１は、同実施の形態に係るプロジェクタ装置１０の外観構成を示すもので、主として筐体前面及び上面の構成を示す。同図に示すように、直方体状の本体ケーシング１１の前面の一部、向かって右側に投影レンズ１２と撮影レンズ１３とが近接して埋設される。また、本体ケーシング１１の前面、左端側にはＩｒ受信部１４が配設される。
【００２４】
投影レンズ１２は、後述するマイクロミラー素子等の空間的光変調素子で形成された光像をスクリーン等の対象に投影するためのものであり、ここでは合焦位置及びズーム位置（投影画角）を任意に可変できるものとする。
【００２５】
撮影レンズ１３は、上記投影レンズ１２により投影表示される画像を撮影するためのものであり、この撮影レンズ１３も合焦位置及びズーム位置を可変可能で、特にズーム位置は上記投影レンズ１２のズーム位置に連動して制御され、常に投影レンズ１２より投影される画像の大きさに対応した撮影範囲となるように制御されるものとする。
【００２６】
Ｉｒ受信部１４は、図示しないこのプロジェクタ装置１０のリモートコントローラからのキー操作信号が重畳された赤外光（Ｉｒ）信号を受信する。
【００２７】
また、本体ケーシング１１の上面には、キースイッチ部１５、及びスピーカ１６が配設
される。  
キースイッチ部１５は、装置の電源のオン／オフ、入力切換、自動合焦、自動台形補正、モード選択、投影画像の記録等を指示する各種キースイッチよりなる。
【００２８】
スピーカ１６は、入力された音声信号及び動作時のビープ音等を拡声放音する。
【００２９】
また、図示はしないが本体ケーシング１１の背面には、入出力コネクタ部、上記Ｉｒ受信部１４と同様のＩｒ受信部、及びＡＣアダプタ接続部が配設される。  
入出力コネクタ部は、例えばパーソナルコンピュータ等の外部装置との接続のためのＵＳＢ端子、映像入力用のＲＧＢミニＤ−ＳＵＢ端子、Ｓ端子、及びＲＣＡ端子と、音声入力用のステレオミニ端子等からなる。
【００３０】
ＡＣアダプタ接続部は、電源となる図示しないＡＣアダプタからのケーブルを接続する。
【００３１】
次に図２により上記プロジェクタ装置１０の電子回路の機能構成について説明する。  
図中、入出力コネクタ部２１より入力された各種規格の画像信号が、入出力インタフェース（Ｉ／Ｆ）２２、システムバスＳＢを介して画像変換部２３で所定のフォーマットの画像信号に統一された後に、投影エンコーダ２４へ送られる。
【００３２】
投影エンコーダ２４は、送られてきた画像信号をビデオＲＡＭ２５に展開記憶させた上でこのビデオＲＡＭ２５の記憶内容からビデオ信号を生成して投影駆動部２６に出力する。
【００３３】
この投影駆動部２６は、送られてきた画像信号に対応して適宜フレームレート、例えば例えば１２０［フレーム／秒］と色成分の分割数、及び表示階調数を乗算した、より高速な時分割駆動で空間的光変調素子（ＳＯＭ）である例えばマイクロミラー素子２７を表示駆動する。
【００３４】
このマイクロミラー素子２７に対して、リフレクタ２８内に配置された光源ランプ２９
が出射する高輝度の白色光を、カラーホイール３０を介して適宜原色に着色し、インテグレータ３１、ミラー３２を介して照射することで、その反射光で光像が形成され、上記投影レンズ１２を介してここでは図示しないスクリーンに投影表示される。
【００３５】
しかるに、光源ランプ２９の点灯駆動と、カラーホイール３０を回転駆動するモータ（Ｍ）３３はいずれも投影光処理部３４からの供給電圧値に基づいて動作する。
【００３６】
上記各回路のすべての動作制御を司るのが制御部３５である。この制御部３５は、ＣＰＵと、後述する投影動作、撮影動作の処理を含む該ＣＰＵで実行される動作プログラムを記憶した不揮発性メモリ、及びワークメモリ等により構成される。
【００３７】
この制御部３５にはまた、システムバスＳＢを介してプロセス回路３６、画像記録部３７、及び音声処理部３８が接続される。
【００３８】
プロセス回路３６は、上記撮影レンズ１３の撮影光軸後方にあって撮影レンズ１３で結像される光像を光電変換する、撮像素子としてのＣＣＤ３９の出力を受け、このＣＣＤ３９からのアナログ値の画像信号をデジタル化し、画素補間処理及びγ補正処理を含むカラープロセス処理を実施した上でデジタル値の輝度信号Ｙ及び色差信号Ｃｂ，Ｃｒを生成し、システムバスＳＢを介して上記画像変換部２３に出力する。
【００３９】
画像変換部２３は、輝度及び色差信号をＡＤＣＴ、ハフマン符号化等の処理によりデータ圧縮し、得た画像データを、このプロジェクタ装置１０の記録媒体として装着される画像記録部３７に書込む。画像記録部３７は、例えばフラッシュメモリ等でなり、撮影により得た画像データを記憶する。
【００４０】
音声処理部３８は、ＰＣＭ音源等の音源回路を備え、投影動作時に与えられる音声データをアナログ化し、上記スピーカ１６を駆動して拡声放音し、あるいは必要によりビープ音を発生させる。
【００４１】
なお、上記キースイッチ部１５における各キー操作信号が直接制御部３５に入力されると共に、Ｉｒ受信部４０からの信号も直接入力される。このＩｒ受信部４０は、上記Ｉｒ受信部１４及び本体ケーシング１１の背面側に設けられるＩｒ受信部を含み、その赤外光受信信号をコード信号化して制御部３５に送出する。
【００４２】
次に上記実施の形態の動作について説明する。  
図３は、プロジェクタ装置１０に接続したパソコン等によりプレゼンテーション（以下図面中では「プレゼン」と称する）によるドキュメントファイルを構成する個々の画像（以下「スライド画像」と称する）を投影する動作の過程で、例えば投影対象のスクリーンとしてホワイトボードを使用して投影画像にマーカーペン等により適宜書込みを行なってそれを記録する「プレゼンテーション記録モード」時の動作内容を例示するもので、その制御は主として制御部３５が対応するモードの動作プログラムに基づいて行なう。
【００４３】
その動作当初には、まずドキュメントファイルの投影に先立ってマイクロミラー素子２７で画像を構成する全画素共にＲＧＢ各色成分をフル階調値に設定して全面白色となる画像を投影させ（ステップＡ０１）、その状態で撮影レンズ１３、ＣＣＤ３９及びプロセス回路３６により投影している画像範囲を撮像する（ステップＡ０２）。
【００４４】
この撮像により得られる画像データは、投影している画像が全面白色の画像であるため、投影対象のスクリーンとなっているホワイトボードの白レベルがそのまま反映されることになるので、ホワイトバランス補正処理を実行することで、画像変換部２３により第１のホワイトバランス（ＷＢ）補正値を算出させる（ステップＡ０３）。
【００４５】
次いで、この算出した第１のホワイトバランス補正値が予め設定されている範囲内にあるか否かにより、このプロジェクタ装置１０でのホワイトバランス補正によってスクリーン投影面の白レベルが補正できる範囲内にあるか否かを判断する（ステップＡ０４）。
【００４６】
ここで、上記算出した第１のホワイトバランス補正値が予め設定されている範囲内にあると判断すると、投影内容をホワイトバランス補正することで、そのプレゼンテーションのドキュメントファイル中で本来想定しているカラーのスライド画像をそのままの色合いでスクリーンで再現することができることになるので、以後、画像変換部２３で当該補正値を用いたホワイトバランス補正を投影画像に施し、補正後の投影画像を投影エンコーダ２４に送出させてプレゼンテーションを実行する（ステップＡ０５）。
【００４７】
こうしたプレゼンテーションの動作処理を実行しながら、同時にキースイッチ部１５またはリモートコントローラでのキー操作によって投影画像の記録が指示されたか否か（ステップＡ０６）、プレゼンテーションのドキュメントファイルを構成するスライド画像の投影動作をすべて終了したか否か（ステップＡ１０）を繰返し判断することで、これらの状態となるのを待機する。
【００４８】
しかして、キースイッチ部１５またはリモートコントローラでのキー操作により投影画像の記録が指示された場合、ステップＡ０６でこれを判断する。この場合、上記のように投影画像の記録が指示されたと判断した場合は、プレゼンテーションのスライド画像に対して、このプロジェクタ装置１０のユーザその他が投影画像上に何らかの書込み等を行なったものと考えられる。
【００４９】
図４（Ａ）は、その投影されるスライド画像に対して手書きによる情報が重ねて書込まれたスクリーンＳＣとなるホワイトボードの投影状態を例示するもので、このプロジェクタ装置１０のユーザが必要な事項を投影画像に書込み終えたと判断した時点でキースイッチ部１５またはリモートコントローラのキー操作により記録を指示することとなる。
【００５０】
しかしてステップＡ０６でキー操作による記録の指示があったと判断すると、その時点でプレゼンテーションのスライド画像の投影動作を一時停止し、代わって全面白色となる画像に上記第１のホワイトバランス補正値を用いて補正を施した、全面がほぼ白色となる画像をマイクロミラー素子２７で表示させてその光像を投影させる（ステップＡ０７）。
【００５１】
図４（Ｂ）はこのときのスクリーンＳＣの投影状態を例示するもので、上記図４（Ａ）で示した状態から投影内容が一切削除され、このプロジェクタ装置１０のユーザ等による手書き情報のみが、ホワイトバランス補正により正しく白色に補正されたスクリーンＳＣ上に残された状態となる。
【００５２】
この状態で撮影レンズ１３、ＣＣＤ３９及びプロセス回路３６により投影範囲を撮像し、この時に投影されていたスライド画像の識別情報及び第１のホワイトバランス補正値と共に対応付けて、例えば画像記録部３７に記録する（ステップＡ０８）。
【００５３】
その後、上記プレゼンテーションのスライド画像の投影表示状態に復帰し（ステップＡ０９）、上記ステップＡ１０の処理に戻る。
【００５４】
このように、プレゼンテーション途中で記録指示のキー操作がなされる毎にその時点でスクリーンＳＣ上に書込まれている手書き情報の画像を撮影して順次画像記録部３７に記録していく。
【００５５】
しかして、このプレゼンテーションのドキュメントファイルを構成するスライド画像をすべて投影表示し終えると、上記ステップＡ１０でこれを判断し、後処理として、このプレゼンテーションの各スライド画像に関連して撮像、記録されたすべての画像データをその付帯データ、すなわち、スライド画像の識別情報と第１のホワイトバランス補正値と共に画像記録部３７より読出し、プレゼンテーションのドキュメントファイルを提供しているパソコン等にＵＳＢケーブルを介し、一括して送信出力した後（ステップＡ１１）、以上でこの図３の処理を終了する。
【００５６】
また、上記ステップＡ０４で、上記算出した第１のホワイトバランス補正値が予め設定されている範囲を超えていると判断すると、投影内容をホワイトバランス補正しても、そのプレゼンテーションのドキュメントファイル中で本来想定しているカラーのスライド画像データを再現することができず、却って不自然な色合いになってしまうことになるので、当該補正値を用いたホワイトバランス補正はあえて行なわずにプレゼンテーションを実行する（ステップＡ１２）。
【００５７】
こうしたプレゼンテーションの動作処理を実行しながら、同時にキースイッチ部１５またはリモートコントローラでのキー操作によって投影画像の記録が指示されたか否か（ステップＡ１３）、プレゼンテーションのドキュメントファイルを構成するスライド画像の投影動作をすべて終了したか否か（ステップＡ１７）を繰返し判断することで、これらの状態となるのを待機する。
【００５８】
しかして、キースイッチ部１５またはリモートコントローラでのキー操作により投影画像の記録が指示された場合、ステップＡ１３でこれを判断し、その時点でプレゼンテーションのドキュメントファイルの投影動作を一時停止し、代わって上記ステップＡ０１で行なった如くマイクロミラー素子２７で画像を構成する全画素共にＲＧＢ各色成分をフル階調値に設定して全面白色となる画像を投影させてその光像を投影させる（ステップＡ１４）。
【００５９】
このときスクリーンＳＣでは、このプロジェクタ装置１０のユーザ等による手書き情報のみが残された状態となっているので、撮影レンズ１３、ＣＣＤ３９及びプロセス回路３６により投影範囲を撮像し、この時に投影されていたスライド画像の識別情報と対応付けて、例えば画像記録部３７に記録する（ステップＡ１５）。
【００６０】
その後、上記プレゼンテーションのスライド画像の投影表示状態に復帰し（ステップＡ１６）、上記ステップＡ１７の処理に戻る。
【００６１】
このように、プレゼンテーション途中で記録指示のキー操作がなされる毎にその時点でスクリーンＳＣ上に書込まれている手書き情報の画像を撮影して順次画像記録部３７に記録していく。
【００６２】
しかして、このプレゼンテーションのドキュメントファイルを構成するすべてのスライド画像の投影表示し終えると、上記ステップＡ１７でこれを判断し、後処理として、このプレゼンテーションのドキュメントファイルに関連して撮像、記録されたすべての画像データをその付帯データであるスライド画像の識別情報と共に画像記録部３７より読出し、プレゼンテーションのドキュメントファイルを提供しているパソコン等にＵＳＢケーブルを介して送信出力した後（ステップＡ１８）、以上でこの図３の処理を終了する。
【００６３】
次に、上記のように手書き情報の画像を関連づけて記録したプレゼンテーションのスライド画像を再生する「プレゼンテーション再生モード」時の動作について説明する。
【００６４】
図５は、その内容を例示するもので、その制御は主として制御部３５が行なうもので、当該プレゼンテーションのドキュメントファイルが選択され、その選択に応じて上記図３での処理によりそのドキュメントファイルに関連付けて撮像、記録されている画像データがＰＣ等から画像記録部３７に転送記録された状態で動作が開始される。
【００６５】
その動作当初には、まずドキュメントファイルの再生投影に先立ってマイクロミラー素子２７で画像を構成する全画素共にＲＧＢ各色成分をフル階調値に設定して全面白色となる画像を投影させ（ステップＢ０１）、その状態で撮影レンズ１３、ＣＣＤ３９及びプロセス回路３６により投影している画像範囲を撮像する（ステップＢ０２）。
【００６６】
この撮像により得られる画像データは、投影している画像が全面白色の画像であるため、投影対象のスクリーンとなっているホワイトボードの白レベルがそのまま反映されることになるので、画像変換部２３でホワイトバランス補正処理を実行することで、第２のホワイトバランス（ＷＢ）補正値を算出させる（ステップＢ０３）。
【００６７】
次いで、この算出した第２のホワイトバランス補正値が予め設定されている範囲内にあるか否かにより、このプロジェクタ装置１０でのホワイトバランス補正によってスクリーン投影面の白レベルが補正できる範囲内にあるか否かを判断する（ステップＢ０４）。
【００６８】
ここで、上記算出した第２のホワイトバランス補正値が予め設定されている範囲内にあると判断すると、投影内容をホワイトバランス補正することで、そのプレゼンテーションのドキュメントファイル中で本来想定しているカラー画像をそのままスクリーンで再現することができることになるので、以後、画像変換部２３で当該補正値を用いたホワイトバランス補正を投影画像に施させ、補正後の投影画像を投影エンコーダ２４に送出して投影させるプレゼンテーションを実行する（ステップＢ０５）。
【００６９】
こうしたプレゼンテーションの動作処理を実行しながら、同時にその時点で投影するスライド画像に関連づけられた画像データが画像記録部３７にあるか否か（ステップＢ０６）、プレゼンテーションのドキュメントファイルの投影動作をすべて終了したか否か（ステップＢ１０）を繰返し判断することで、これらの状態となるのを待機する。
【００７０】
しかして、そのスライド画像に関連付けられた画像データが画像記録部３７に記録されていた場合、ステップＢ０６でこれを判断し、次にその画像データに第１のホワイトバランス補正値が付加設定されているか否かを判断する（ステップＢ０７）。
【００７１】
ここで第１のホワイトバランス補正値が付加設定されていると判断した場合にのみ、画像変換部２３でこの画像データに対し、第１のホワイトバランス補正値と第２のホワイトバランス補正値とを掛け合わせた補正値を用いてＲＧＢの各階調値を変換する（ステップＢ０８）。
【００７２】
その後、必要に応じてホワイトバランス補正した画像データをその時点で投影しているスライド画像のデータに重ね合わせるべく画像変換部２３で画像合成してから投影エンコーダ２４へ送出して投影させ（ステップＢ０９）、上記ステップＢ１０の処理に戻る。
【００７３】
このように、プレゼンテーション途中で記録された画像がある場合はその画像も元のスライド画像に重ね合わせて一緒に投影表示していく。
【００７４】
しかして、このプレゼンテーションのドキュメントファイルを構成するすべてのスライド画像を投影表示し終えると、上記ステップＢ１０でこれを判断し、以上でこの図５の処理を終了する。
【００７５】
また、上記ステップＢ０４で、上記算出した第２のホワイトバランス補正値が予め設定されている範囲を超えていると判断すると、投影内容をホワイトバランス補正しても、そのプレゼンテーションのドキュメントファイル中で本来想定しているカラー画像を再現することができず、却って不自然な色合いになってしまうことになるので、当該補正値を用いたホワイトバランス補正はあえて行なわずにプレゼンテーションを実行する（ステップＢ１１）。
【００７６】
こうしたプレゼンテーションの動作処理を実行しながら、同時にその時点で投影するスライド画像に関連づけられた画像データが画像記録部３７にあるか否か（ステップＢ１２）、プレゼンテーションのドキュメントファイルの投影動作をすべて終了したか否か（ステップＢ１６）を繰返し判断することで、これらの状態となるのを待機する。
【００７７】
しかして、そのスライド画像に関連付けられた画像データが画像記録部３７に記録されていた場合、ステップＢ１２でこれを判断し、次にその画像データに第１のホワイトバランス補正値が付加設定されているか否かを判断する（ステップＢ１３）。
【００７８】
ここで第１のホワイトバランス補正値が付加設定されていると判断した場合にのみ、画像変換部２３でこの画像データに対し、第１のホワイトバランス補正値を用いてＲＧＢの各階調値を変換する（ステップＢ１４）。
【００７９】
こうして第１のホワイトバランス補正値を用いた変換を実行することで、現在の画像再生環境がホワイトバランス補正を行なう状態にはないものの、当該画像の記録環境下では有効であったホワイトバランス補正を実行して、多少なりとも不自然な色合いでの画像投影を回避するようにする。
【００８０】
その後、必要に応じてホワイトバランス補正した画像データをその時点で投影しているスライド画像のデータに重ね合わせるべく合成投影させ（ステップＢ１５）、上記ステップＢ１６の処理に戻る。
【００８１】
このように、プレゼンテーション途中で記録された画像がある場合はその画像も元のスライド画像に重ね合わせて一緒に投影表示していく。
【００８２】
しかして、このプレゼンテーションのドキュメントファイルを構成するすべてのスライド画像を投影表示し終えると、上記ステップＢ１６でこれを判断し、以上でこの図５の処理を終了する。
【００８３】
以上図３及び図５で示した動作のようにすれば、画像の投影対象となるスクリーンの色の影響を考慮した補正を施すことで、常に不自然さのない色合いの画像を投影することができると共に、投影された画像に加えて、ユーザ等の手書きによる書込み情報を撮影して、後にそれらを同様に不自然さのない色合いで再現することが可能となる。
【００８４】
加えて、上記スクリーンの色の影響を考慮した補正として、特に画像の背景色と投影対象のスクリーンが共に一般的な白色であるような場合に、すべてのデジタルカメラ等のデジタル的な撮像手段が標準で搭載しているホワイトバランス機能を用いることで、回路の構成を複雑にすることなく、より自然な色合いの投影画像を得ることができる。
【００８５】
なお、ホワイトバランス補正値が所定の範囲内にあるか否かにより、上記ホワイトバランス補正を行なうことで却って不自然な色合いとなってしまう場合にこれを判断し、範囲を超えてしまっていると判断した場合にはあえて色補正を行なわないようにすることで、かえって投影画像が見苦しい色合いとなってしまうのを未然に回避できる。
【００８６】
なお、上記実施の形態では、投影するプレゼンテーションのドキュメントファイル中の各スライド画像の背景色が白であるものとし、これを基準として投影対象となるスクリーンＳＣのホワイトボードの色に対応したホワイトバランス補正を行なうものとして説明したが、むしろ投影対象のスクリーンＳＣの側を基準として、投影するスライド画像の背景色を含む全体を補正するものとしてもよく、さらにはその中間値を基準値として用い、あるいは湯０のユーザが基準となる白のレベルをマニュアル設定するものとしてもよい。
【００８７】
（第２の実施の形態）  
以下本発明をプロジェクタ装置に適用した場合の第２の実施の形態について図面を参照して説明する。
【００８８】
なお、プロジェクタ装置の外観構成については上記図１と、プロジェクタ装置の電子回路の機能構成については上記図２と基本的に同様であるものとし、同一部分には同一符号を用いるものとして、その図示と説明とを省略する。
【００８９】
また、このプロジェクタ装置１０では、投影するカラー画像として、例えばＲＧＢ各色階調ビット数が８ビット（＝２５６階調）で１画素の表示し得る色が約１６７７万７２１６色（＝２５６の３乗）であり、画像変換部２３が用意するカラーパレットによりそのうちの最大２５６色を使って投影画像１画面を生成できるものとする。
【００９０】
次に上記実施の形態の動作について説明する。  
図６は、プロジェクタ装置１０に接続したパソコン等によりプレゼンテーションのドキュメントファイルを構成する個々のスライド画像を投影する動作の過程で、例えば投影対象のスクリーンとしてホワイトボードを使用して投影画像にマーカーペン等により適宜書込みを行なってそれを記録する「プレゼンテーション記録モード」時の動作内容を例示するもので、その制御は主として制御部３５が対応するモードの動作プログラムに基づいて行なう。
【００９１】
その動作当初には、まずドキュメントファイルの投影に先立ってマイクロミラー素子２７で画像を構成する全画素共にＲＧＢ各色成分をフル階調値に設定して全面白色となる画像を投影させ（ステップＣ０１）、その状態で撮影レンズ１３、ＣＣＤ３９及びプロセス回路３６により投影している画像範囲を撮像する（ステップＣ０２）。
【００９２】
この撮像により得られる画像データは、投影している画像が全面白色の画像であるため、投影対象のスクリーンとなっているホワイトボードの白レベルがそのまま反映されることになるので、ホワイトバランス補正処理を実行することで、第１のホワイトバランス（ＷＢ）補正値を算出する（ステップＣ０３）。
【００９３】
次いで、この算出した第１のホワイトバランス補正値が予め設定されている範囲内にあるか否かにより、このプロジェクタ装置１０でのホワイトバランス補正によってスクリーン投影面の白レベルが補正できる範囲内にあるか否かを判断する（ステップＣ０４）。
【００９４】
ここで、上記算出した第１のホワイトバランス補正値が予め設定されている範囲内にあると判断すると、投影内容をホワイトバランス補正することで、そのプレゼンテーションのドキュメントファイル中で本来想定しているカラーのスライド画像をそのままの色合いでスクリーンで再現することができることになるので、以後、画像変換部２３で当該補正値を用いたホワイトバランス補正を施した場合に得られる色情報に最も近くなる色情報をカラーパレットより選択することで（ステップＣ０５）、投影画像の背景色をカラーパレットで用意している第１の背景色に置換した後に、その色情報を置換した投影画像を投影エンコーダ２４に送出してプレゼンテーションの投影動作を実行する（ステップＣ０６）。
【００９５】
こうしたプレゼンテーションの動作処理を実行しながら、同時にキースイッチ部１５またはリモートコントローラでのキー操作によって投影画像の記録が指示されたか否か（ステップＣ０７）、プレゼンテーションのドキュメントファイルを構成するスライド画像の投影動作をすべて終了したか否か（ステップＣ１１）を繰返し判断することで、これらの状態となるのを待機する。
【００９６】
しかして、キースイッチ部１５またはリモートコントローラでのキー操作により投影画像の記録が指示された場合、ステップＣ０７でこれを判断する。この場合、上記のように投影画像の記録が指示されたと判断した場合は、プレゼンテーションのスライド画像に対して、このプロジェクタ装置１０のユーザその他が投影画像上に何らかの書込み等を行なったものと考えられる。
【００９７】
図４（Ａ）は、その投影されるスライド画像に対して手書きによる情報が重ねて書込まれたスクリーンＳＣとなるホワイトボードの投影状態を例示するもので、このプロジェクタ装置１０のユーザが必要な事項を投影画像に書込み終えたと判断した時点でキースイッチ部１５またはリモートコントローラのキー操作により記録を指示することとなる。
【００９８】
しかしてステップＣ０６でキー操作による記録の指示があったと判断すると、その時点でプレゼンテーションのスライド画像の投影動作を一時停止し、代わって上記ステップＣ０５で画像変換部２３によりカラーパレットから選択した第１の背景色を全面に展開した画像をマイクロミラー素子２７で表示させてその光像を投影させる（ステップＣ０８）。
【００９９】
図４（Ｂ）はこのときのスクリーンＳＣの投影状態を例示するもので、上記図４（Ａ）で示した状態から投影内容が一切削除され、このプロジェクタ装置１０のユーザ等による手書き情報のみが、選択した第１の背景色に補正されたスクリーンＳＣ上に残された状態となる。
【０１００】
この状態で撮影レンズ１３、ＣＣＤ３９及びプロセス回路３６により投影範囲を撮像し、この時に投影されていたスライド画像の識別情報及び第１の背景色の情報と共に対応付けて、例えば画像記録部３７に記録する（ステップＣ０９）。
【０１０１】
その後、上記プレゼンテーションのスライド画像の投影表示状態に復帰し（ステップＣ１０）、上記ステップＣ１１の処理に戻る。
【０１０２】
このように、プレゼンテーション途中で記録指示のキー操作がなされる毎に、その時点でスクリーンＳＣ上に書込まれている手書き情報の画像を撮影して順次画像記録部３７に記録していく。
【０１０３】
しかして、このプレゼンテーションのドキュメントファイルを構成するスライド画像をすべて投影表示し終えると、上記ステップＣ１１でこれを判断し、後処理として、このプレゼンテーションの各スライド画像に関連して撮像、記録されたすべての画像データをその付帯データ、すなわち、スライド画像の識別情報と第１の背景色の情報と共に画像記録部３７より読出し、プレゼンテーションのドキュメントファイルを提供しているパソコン等にＵＳＢケーブルを介し、一括して送信出力した後（ステップＣ１２）、以上でこの図６の処理を終了する。
【０１０４】
また、上記ステップＣ０４で、上記算出した第１のホワイトバランス補正値が予め設定されている範囲を超えていると判断すると、投影内容をホワイトバランス補正しても、そのプレゼンテーションのドキュメントファイル中で本来想定しているカラーのスライド画像データを再現することができず、却って不自然な色合いになってしまうことになるので、当該補正値によりホワイトバランス補正として背景色をカラーパレットの中から選択した色に変換することは行なわずにプレゼンテーションを実行する（ステップＣ１３）。
【０１０５】
こうしたプレゼンテーションの動作処理を実行しながら、同時にキースイッチ部１５またはリモートコントローラでのキー操作によって投影画像の記録が指示されたか否か（ステップＣ１４）、プレゼンテーションのドキュメントファイルを構成するスライド画像の投影動作をすべて終了したか否か（ステップＣ１８）を繰返し判断することで、これらの状態となるのを待機する。
【０１０６】
しかして、キースイッチ部１５またはリモートコントローラでのキー操作により投影画像の記録が指示された場合、ステップＣ１４でこれを判断し、その時点でプレゼンテーションのドキュメントファイルの投影動作を一時停止し、代わって上記ステップＣ０１で行なった如くマイクロミラー素子２７で画像を構成する全画素共にＲＧＢ各色成分をフル階調値に設定して全面白色となる画像を投影させてその光像を投影させる（ステップＣ１５）。
【０１０７】
このときスクリーンＳＣでは、このプロジェクタ装置１０のユーザ等による手書き情報のみが残された状態となっているので、撮影レンズ１３、ＣＣＤ３９及びプロセス回路３６により投影範囲を撮像し、この時に投影されていたスライド画像の識別情報と対応付けて、例えば画像記録部３７に記録する（ステップＣ１６）。
【０１０８】
その後、上記プレゼンテーションのスライド画像の投影表示状態に復帰し（ステップＣ１７）、上記ステップＣ１８の処理に戻る。
【０１０９】
このように、プレゼンテーション途中で記録指示のキー操作がなされる毎にその時点でスクリーンＳＣ上に書込まれている手書き情報の画像を撮影して順次画像記録部３７に記録していく。
【０１１０】
しかして、このプレゼンテーションのドキュメントファイルを構成するすべてのスライド画像の投影表示し終えると、上記ステップＣ１８でこれを判断し、後処理として、このプレゼンテーションのドキュメントファイルに関連して撮像、記録されたすべての画像データをその付帯データであるスライド画像の識別情報と共に画像記録部３７より読出し、プレゼンテーションのドキュメントファイルを提供しているパソコン等にＵＳＢケーブルを介して送信出力した後（ステップＣ１９）、以上でこの図６の処理を終了する。
【０１１１】
次に、上記のように手書き情報の画像を関連づけて記録したプレゼンテーションのスライド画像を再生する「プレゼンテーション再生モード」時の動作について説明する。
【０１１２】
図７に示すその処理内容の制御は主として制御部３５が行なうもので、当該プレゼンテーションのドキュメントファイルが選択され、その選択に応じて上記図６での処理によりそのドキュメントファイルに関連付けて撮像、記録されている画像データがＰＣ等から画像記録部３７に転送記録された状態で動作が開始される。
【０１１３】
その動作当初には、まずドキュメントファイルの再生投影に先立ってマイクロミラー素子２７で画像を構成する全画素共にＲＧＢ各色成分をフル階調値に設定して全面白色となる画像を投影させ（ステップＤ０１）、その状態で撮影レンズ１３、ＣＣＤ３９及びプロセス回路３６により投影している画像範囲を撮像する（ステップＤ０２）。
【０１１４】
この撮像により得られる画像データは、投影している画像が全面白色の画像であるため、投影対象のスクリーンとなっているホワイトボードの白レベルがそのまま反映されることになるので、画像変換部２３でホワイトバランス補正処理を実行することで、第２のホワイトバランス（ＷＢ）補正値を算出させる（ステップＤ０３）。
【０１１５】
次いで、この算出した第２のホワイトバランス補正値が予め設定されている範囲内にあるか否かにより、このプロジェクタ装置１０でのホワイトバランス補正によってスクリーン投影面の白レベルが補正できる範囲内にあるか否かを判断する（ステップＤ０４）。
【０１１６】
ここで、上記算出した第２のホワイトバランス補正値が予め設定されている範囲内にあると判断すると、投影内容をホワイトバランス補正することで、そのプレゼンテーションのドキュメントファイル中で本来想定しているカラー画像をそのままスクリーンで再現することができることになるので、以後、当該補正値を用いたホワイトバランス補正を施した場合に得られる色情報に最も近くなる色情報を画像変換部２３でカラーパレットより選択することで（ステップＤ０５）、投影画像の背景色をカラーパレットで用意している第２の背景色に置換した後に、その色情報を置換した投影画像を投影エンコーダ２４に送出してプレゼンテーションの投影動作を実行する（ステップＤ０６）。
【０１１７】
こうしたプレゼンテーションの動作処理を実行しながら、同時にその時点で投影するスライド画像に関連づけられた画像データが画像記録部３７にあるか否か（ステップＤ０７）、プレゼンテーションのドキュメントファイルの投影動作をすべて終了したか否か（ステップＤ１１）を繰返し判断することで、これらの状態となるのを待機する。
【０１１８】
しかして、そのスライド画像に関連付けられた画像データが画像記録部３７に記録されていた場合、ステップＤ０７でこれを判断し、次にその画像データに第１の背景色の情報が付加設定されているか否かを判断する（ステップＤ０８）。
【０１１９】
ここで第１の背景色の情報が付加設定されていると判断した場合にのみ、画像変換部２３でこの画像データに対し、第１の背景色と第２の背景色とを掛け合わせたものに最も近い背景色をカラーパレットから選択し、その選択した背景色の内容によりホワイトバランス補正として記録画像の背景色のＲＧＢの各階調値を変換（具体的にはカラーパレットにより最も近い色に置換）する（ステップＤ０９）。
【０１２０】
その後、必要に応じてホワイトバランス補正した画像データをその時点で投影しているスライド画像のデータに重ね合わせるべく画像変換部２３で画像合成してから投影エンコーダ２４へ送出して投影させ（ステップＤ１０）、上記ステップＤ１１の処理に戻る。
【０１２１】
このように、プレゼンテーション途中で記録された画像がある場合はその画像も元のスライド画像に重ね合わせて一緒に投影表示していく。
【０１２２】
しかして、このプレゼンテーションのドキュメントファイルを構成するすべてのスライド画像を投影表示し終えると、上記ステップＤ１１でこれを判断し、以上でこの図７の処理を終了する。
【０１２３】
また、上記ステップＤ０４で、上記算出した第２のホワイトバランス補正値が予め設定されている範囲を超えていると判断すると、投影内容をホワイトバランス補正しても、そのプレゼンテーションのドキュメントファイル中で本来想定しているカラー画像を再現することができず、却って不自然な色合いになってしまうことになるので、当該補正値を用いたホワイトバランス補正としての背景色の置換はあえて行なわずにプレゼンテーションを実行する（ステップＤ１２）。
【０１２４】
こうしたプレゼンテーションの動作処理を実行しながら、同時にその時点で投影するスライド画像に関連づけられた画像データが画像記録部３７にあるか否か（ステップＤ１３）、プレゼンテーションのドキュメントファイルの投影動作をすべて終了したか否か（ステップＤ１７）を繰返し判断することで、これらの状態となるのを待機する。
【０１２５】
しかして、そのスライド画像に関連付けられた画像データが画像記録部３７に記録されていた場合、ステップＤ１３でこれを判断し、次にその画像データに第１の背景色の情報が付加設定されているか否かを判断する（ステップＤ１４）。
【０１２６】
ここで第１の背景色の情報が付加設定されていると判断した場合にのみ、画像変換部２３でこの画像データに対し、第１の背景色によりホワイトバランス補正として記録画像の背景色のＲＧＢの各階調値を変換（具体的にはカラーパレットにより最も近い色に置換）する（ステップＤ１５）。
【０１２７】
こうして第１の背景色への置換を実行することで、現在の画像再生環境がホワイトバランス補正を行なう状態にはないものの、当該画像の記録環境下では有効であったホワイトバランス補正を実行して、多少なりとも不自然な色合いでの画像投影を回避するようにする。
【０１２８】
その後、必要に応じてホワイトバランス補正した画像データをその時点で投影しているスライド画像のデータに重ね合わせるべく合成投影させ（ステップＤ１６）、上記ステップＤ１７の処理に戻る。
【０１２９】
このように、プレゼンテーション途中で記録された画像がある場合はその画像も元のスライド画像に重ね合わせて一緒に投影表示していく。
【０１３０】
しかして、このプレゼンテーションのドキュメントファイルを構成するすべてのスライド画像を投影表示し終えると、上記ステップＤ１７でこれを判断し、以上でこの図７の処理を終了する。
【０１３１】
以上図６及び図７で示した動作のようにすれば、投影系で同時に発色できる色の数に制限がある場合に、その範囲内でより適した色を選択することで色補正を実行してそれらの色を有効に活用し、処理を簡易化することができる。
【０１３２】
なお、上記第２の実施の形態では、画像中の背景色のみホワイトバランス補正値に基づいてカラーパレットの中から選択して置換するものとして説明したが、本発明はこれに限らず、スライド画像を手書き情報による記録画像を構成する各色成分すべてをカラーパレットの中から選択して置換するものとしてもよい。
【０１３３】
また、上記第１及び第２の実施の形態では、最初にマイクロミラー送信２７で画像を構成する全画素毎にＲＧＢ各色成分をフル階調値に設定して全面白色となる画像を投影させたが、全面白色に限らず、全面特定の色の画像を基準として投影させるようにしてもよい。
【０１３４】
さらに、上記第１及び第２の実施の形態はいずれも、プロジェクタ装置１０に接続されるパーソナルコンピュータ等から提供されるプレゼンテーションのドキュメントファイルを構成するスライド画像の投影動作時に、プロジェクタ装置１０側で手書き画像の記録や再生を行なうものとしたが、これらの動作をすべてプロジェクタ装置１０側のみの閉じたシステムとして実行するものとしてもよいし、さらにはプロジェクタ装置１０はただ単にパーソナルコンピュータ等から送られてくる画像を投影し、指示に応じて投影範囲の画像を撮影するのみとして、パーソナルコンピュータ等側にインストールしたプレゼンテーションプログラムによりすべての動作制御を実行するものとしてもよい。
【０１３５】
その他、本発明は上記実施の形態に限らず、その要旨を逸脱しない範囲内で種々変形して実施することが可能であるものとする。
【０１３６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１３７】
【図１】本発明の第１の実施の形態に係るプロジェクタ装置の外観構成を示す斜視図。
【図２】同実施の形態に係るプロジェクタ装置の機能回路構成を示すブロック図。
【図３】同実施の形態に係るプレゼン記録モードでの処理内容を示すフローチャート。
【図４】同実施の形態に係る投影画像とそれに対する書込み情報とを例示する図。
【図５】同実施の形態に係るプレゼン再生モードでの処理内容を示すフローチャート。
【図６】本発明の第２の実施の形態に係るプレゼン記録モードでの処理内容を示すフローチャート。
【図７】同実施の形態に係るプレゼン再生モードでの処理内容を示すフローチャート。
【符号の説明】
【０１３８】
１０…プロジェクタ装置、１１…本体ケーシング、１２…投影レンズ、１３…撮影レンズ、１４…Ｉｒ受信部、１５…スイッチ部、１６…スピーカ、２１…入出力コネクタ部、２２…入出力インタフェース（Ｉ／Ｆ）、２３…画像変換部、２４…投影エンコーダ、２５…ビデオＲＡＭ、２６…投影駆動部、２７…マイクロミラー素子（ＳＯＭ）、２８…リフレクタ、２９…光源ランプ、３０…カラーホイール、３１…インテグレータ、３２…ミラー、３３…モータ（Ｍ）、３４…投影光処理部、３５…制御部、３６…プロセス回路、３７…画像記録部、３８…音声処理部、３９…ＣＣＤ、４０…Ｉｒ受信部、ＳＢ…システムバス、ＳＣ…スクリーン。
【図１】
2006174053.tif 000003
【図２】
2006174053.tif 000004
【図３】
2006174053.tif 000005
【図４】
2006174053.tif 000006
【図５】
2006174053.tif 000007
【図６】
2006174053.tif 000008
【図７】
2006174053.tif 000009